(57)【要約】【課題】袋内で三次元立体収納空間を構成し、品物をきちんと収納袋内に収納することができる三次元立体収納空間を具える立体収納袋の提供。【解決手段】二枚の正面プラスチックシートで、それの両側辺には互いに熱溶融圧着された第一圧着段と、第一圧着段から延伸してそれぞれ前辺と後辺に連接される第二圧着段及び第三圧着段が実施される。前面プラスチックシートで、それの縁は熱溶融によって一枚の正面プラスチックシートの前辺、及び両側辺の第二圧着段に圧着され、それによって別の正面プラスチックシートの前辺に開口を形成する。後面プラスチックシートで、それの縁は熱溶融によって二枚の正面プラスチックシートの後辺及び両側辺の第三圧着段に圧着される。シールチャックで、それは開口の内側に設置され、それによって開口は任意に開閉することができる。【選択図】図１
0003170019.tif 000002
【実用新案登録請求の範囲】
【請求項１】
三次元立体収納空間を具える立体収納袋であって、それには
矩形のシートで、それは前辺、後辺及び互いに対称する二つの側辺を備え、二つの側辺には中間が互いに熱溶融圧着された第一圧着段と、第一圧着段から延伸してそれぞれ前辺と後辺に連接される第二圧着段及び第三圧着段を備えた互いに対応する二枚の正面プラスチックシートと、
矩形のシートで、それの縁は対応して一枚の正面プラスチックシートの前辺、及び二枚の正面プラスチックシートの側辺の第二圧着段に熱溶融圧着され、それによって別の正面プラスチックシートの前辺に熱溶融圧着されない開口を形成する前面プラスチックシートと、
矩形のシートで、それの縁は対応して二枚の正面プラスチックシートの後辺及び側辺の第三圧着段に熱溶融圧着される後面プラスチックシートと、
開口の内側に結合される雄シールチャック、及び開口の別の内側に結合される雌シールチャックを含み、それによって開口は任意に開閉することができるシールチャックとを備えることを特徴とする三次元立体収納空間を具える立体収納袋。
【請求項２】
それには更に排気バルブを備え、排気バルブは正面プラスチックシートに結合され、立体収納袋内部の空気の排出に用いられることを特徴とする請求項１記載の三次元立体収納空間を具える立体収納袋。
【請求項３】
前記排気バルブは更にバルブ本体、バルブシート及び外蓋を含み、バルブ本体は前記正面プラスチックシートに結合され、バルブ本体内には立体収納袋の内外を連通する通気孔を備え、バルブシートは可動にバルブ本体内の通気孔の一端に設置され、通気孔の塞がりまたは開放に用いられ、外蓋はバルブ本体に締め付けられてバルブシートをバルブ本体内に制限し、外蓋には複数個の排気孔が設けられてあることを特徴とする請求項２記載の三次元立体収納空間を具える立体収納袋。
【請求項４】
それには更に吊り掛けユニットを含み、その吊り掛けユニットは一枚の正面プラスチックシートの一側辺個所に結合され、かつ吊り掛けユニットには立体収納袋の外側に位置して吊り掛けに用いられる外掛けフックと、立体収納袋の内部に位置して吊り掛けに用いられる内掛けフックを備えることを特徴とする請求項１記載の三次元立体収納空間を具える立体収納袋。
【請求項５】
前記吊り掛けユニットは排気バルブ及び排気バルブに締め付けられる外蓋を含み、排気バルブの底端には内掛けフックが設置され、排気バルブは一枚の正面プラスチックシートの一側辺個所に結合され、それによって内掛けフックは立体収納袋の内部に位置し、外蓋には外掛けフックが設置され、それによって外掛けフックは立体収納袋の外側に位置することを特徴とする請求項４記載の三次元立体収納空間を具える立体収納袋。
【請求項６】
前記二枚の正面プラスチックシートの第三圧着段は互いに熱溶融圧着されることを特徴とする請求項１記載の三次元立体収納空間を具える立体収納袋。
【考案の詳細な説明】
【技術分野】
【０００１】
本考案は収納袋に関するもので、特に袋内に三次元立体空間を形成する立体収納袋の構造改善を指したものである。
【背景技術】
【０００２】
従来の収納袋は消費者に家屋の収納空間を節減する、または長期間に衣類または布団を収納する、または旅行の期間に着替えに使われる衣類の携帯を提供するため、衣類または布団を収納袋の中に入れ、そして袋口を閉めたあと、更に吸塵器または其の他抽気設備を使って袋内の空気を抽出し、それによって衣類の体積を縮小し、携帯または長期間収納に有利にする。ところが、従来の収納袋は二枚の矩形のプラスチックシート(plastic
sheet)の三つの辺を互いに貼り合わせ、及び一本のシールチャック(seal chuck)の組合せによって構成される扁平の袋であり、それは二枚のプラスチックシートの間に狭い収納空間を構成するので、衣類を入れるまたは取出しには面倒であり、例えば衣類を整然と折り畳んで入れることができない。尚且つ、従来の収納袋は扁平の矩形の袋に実施され、そのために入れられる衣類の量が限られ、大きな品物、例えば厚いコート(coat)や布団を入れることができない。
【考案の概要】
【考案が解決しようとする課題】
【０００３】
本考案の主要目的は三次元立体収納空間を具える立体収納袋を提供するもので、それは二枚の正面プラスチックシート、一枚の前面プラスチックシート、一枚の後面プラスチックシート及び一本のシールチャックの組合せ構造改善により、内部に長さ、幅、高さの三次元(3D)立体収納空間を具える立体収納袋を構成し、それによって品物の置き入れ及び取り出しを便利にし、品物は袋内に於いて平坦に収納されるので収納品物の量を増やすことができ、余った空気を排除する、及び吊り上げて収納する等効果を達成することができる。
【課題を解決するための手段】
【０００４】
本考案は三次元立体収納空間を具える立体収納袋であり、それの実施内容は次のものを含む：対応する二枚の正面プラスチックシートで、その二枚の正面プラスチックシートには前辺、後辺及び対称する二つの側辺を備え、二つの側辺には中間が互いに熱溶融によって圧着された第一圧着段と、第一圧着段から延伸してそれぞれ前辺と後辺に連接される第二圧着段及び第三圧着段を備える。前面プラスチックシートで、それの縁は熱溶融によって一枚の正面プラスチックシートの前辺、及び二枚の正面プラスチックシートの側辺の第二圧着段に圧着され、それによって別の正面プラスチックシートの前辺に熱溶融圧着されない開口を形成する。後面プラスチックシートで、それの縁は熱溶融によって二枚の正面プラスチックシートの後辺及び側辺の第三圧着段に圧着される。シールチャックで、それは前記開口の内側に結合される雄シールチャック、及び前記開口の別の内側に結合される雌シールチャックを含み、それによって開口はシールチャックを通じて任意に開閉することができる。
【０００５】
前記最適実施内容によって述べた三次元立体収納空間を具える立体収納袋で、それは更に排気バルブ(valve)を含み、その排気バルブは正面プラスチックシートに結合され、立体収納袋内部の空気の排出に用いられる。
【０００６】
前記最適実施内容によって述べた三次元立体収納空間を具える立体収納袋で、その排気バルブはバルブ本体、バルブシート及び外蓋を含む。バルブ本体は前記正面プラスチックシートに結合され、バルブ本体内には立体収納袋の内外を連通する通気孔を備える。バルブシートは可動にバルブ本体内の通気孔の一端に設置され、通気孔の塞がりまたは開放に用いられる。外蓋はバルブ本体に締め付けられてバルブシートをバルブ本体内に制限し、外蓋には複数個の排気孔が設けられてある。
【０００７】
前記最適実施内容によって述べた三次元立体収納空間を具える立体収納袋で、それは更に吊り掛けユニット(unit)を含み、その吊り掛けユニットは前記正面プラスチックシートの一側辺個所に結合され、吊り掛けユニットには立体収納袋の外側に位置して吊り掛けに用いられる外掛けフック(hook)と、立体収納袋の内部に位置して吊り掛けに用いられる内掛けフックを備える。
【０００８】
前記最適実施内容によって述べた三次元立体収納空間を具える立体収納袋で、その吊り掛けユニットには排気バルブ及び排気バルブに締め付けられる外蓋を含む。排気バルブには内掛けフックが設置され、排気バルブは前記正面プラスチックシートの一側辺に結合され、それによって内掛けフックは立体収納袋の内部に位置する。外蓋には外掛けフックが設置され、それによって外掛けフックは立体収納袋の外側に位置する。
【０００９】
前記最適実施内容によって述べた三次元立体収納空間を具える立体収納袋で、その二枚の正面プラスチックシートの第三圧着段は互いに熱融合圧着される。
【００１０】
これにより、本考案の三次元立体収納空間を具える立体収納袋は二枚の正面プラスチックシート、一枚の前面プラスチックシート及び一枚の後面プラスチックシートの組合せ構造により、立体収納袋の内部に長さ、幅、高さの三次元(3D)立体収納空間を具える立体収納袋を形成し、それによって衣類はきちんと立体収納空間に入れられ、置き入れ及び取り出しの便利、及び品物がきちんと収納される効果が達成される。また、三次元(3D)立体収納空間の構造により、同時に収納品物の量を増やす効果が達成される。更に、排気バルブの構造設計により、品物が入れられた後には吸気装置を通じて袋内の空気を吸出し、余った空気を排除する効果が得られる。このほか、吊り掛けユニットの設計により、品物を立体収納袋内に吊り掛けることができ、並びに立体収納袋を吊り掛け収納する効果が得られる。
【図面の簡単な説明】
【００１１】
【図１】本考案の第一最適実施例の立体組合せ意表図である。
【図２】本考案の第一最適実施例の立体分解意表図である。
【図３】本考案の第一最適実施例の排気バルブの断面意表図一である。
【図４】本考案の第一最適実施例の排気バルブの断面意表図二である。
【図５】本考案の第一最適実施例の使用動作の意表図一である。
【図６】本考案の第一最適実施例の使用動作の意表図二である。
【図７】本考案の第二最適実施例の立体組合せ意表図である。
【図８】本考案の第二最適実施例の立体分解意表図である。
【図９】本考案の第二最適実施例の使用動作の意表図一である。
【図１０】本考案の第二最適実施例の使用動作の意表図二である。
【図１１】本考案の後面プラスチックシートの別の実施例の立体意表図である。
【考案を実施するための形態】
【００１２】
図１、図２、図７及び図８に示すように、本考案の三次元立体収納空間を具える立体収納袋の最適実施例は、互いに対応する二枚の正面プラスチックシート1a、1b、一枚の前面プラスチックシート2、一枚の後面プラスチックシート3及び一本のシールチャック4を含む。その中、二枚の正面プラスチックシート1a、1bは矩形のシートで、それには前辺11a、11b、後辺12a、12b及び互いに対称する二つの側辺13a、13bを備え、二つの側辺13a、13bには中間の一段が互いに熱溶融によって圧着された第一圧着段131a、131bと、第一圧着段131a、131bから延伸してそれぞれ前辺11a、11bと後辺12a、12bに連接される第二圧着段132a、132b及び第三圧着段133a、133bを備える。前面プラスチックシート2は矩形のシートで、それの縁21は対応に熱溶融によって一枚の正面プラスチックシート1bの前辺11b、並びに対応に熱溶融によって二枚の正面プラスチックシート1a、1bの側辺13a、13bの第二圧着段132a、132bに圧着され、それによって別の正面プラスチックシート1aの前辺11aに熱溶融圧着されない開口14を形成する。後面プラスチックシート3も矩形のシートで、それの四辺の縁は対応に熱溶融によって二枚の正面プラスチックシート1a、1bの後辺12a、12b及び側辺13a、13bの第三圧着段133a、133bに圧着される。シールチャック4は前記開口14の内側に結合される雄シールチャック41（例えば前面プラスチックシート2の内面に熱溶融圧着される）、及び前記開口14の別の内側に結合される雌シールチャック42（例えば正面プラスチックシート1aの内面に熱溶融圧着される）を含み、それによって開口14はシールチャック4を通じて任意に開閉することができる。本考案は前記正面プラスチックシート1a、1b、前面プラスチックシート2、後面プラスチックシート3及びシールチャック4の構造特徴及びそれらの組合せ関係により、内部に長さ、幅、高さの三次元立体収納空間を備える立体収納袋を構成することができる。
【００１３】
再び図１及び図２に示すように、本考案の最適実施例は更に排気バルブ5を含み、その排気バルブ5は正面プラスチックシート1aに結合され、並びに立体収納袋内部の三次元立体収納空間に連通され、排気バルブ5を通じて立体収納袋内部の空気を排出することができ、それによって収納品物の体積を縮小する。図３及び図４に示すように、排気バルブ5の最適実施例はバルブ本体51、バルブシート52及び外蓋53を含む。バルブ本体51は前記正面プラスチックシート1aに結合され、バルブ本体51内には立体収納袋の内外を連通する通気孔511を備える。バルブシート52は可動にバルブ本体51内の通気孔511の一端に設置され、通気孔511の塞がりまたは開放に用いられる。外蓋53はバルブ本体51に締め付けられてバルブシート52をバルブ本体51内に制限し、外蓋53には複数個の排気孔531が設けられてある。図５及び図６に示すように、これにより、使用者が衣類、布団または其の他品物を折り重ねて本考案の立体収納袋内に置き入れ、並びにシールチャック4を通じて開口14を閉鎖した場合、吸塵器または其の他吸気設備の吸気管70を用いて排気バルブ5の外蓋53に取り付け、吸塵器または其の他吸気設備を起動して吸気を行えば、本考案袋内の余った空気を排出することができ、収納の体積を縮小するだけでなく、更に残留空気が品物に対する影響を排除することができる。
【００１４】
図７及び図８に示すように、本考案の最適実施例は更に吊り掛けユニット6を含み、その吊り掛けユニット6は一枚の正面プラスチックシート1aの一側辺個所13aに結合され、かつ吊り掛けユニット6には立体収納袋の外側に位置して吊り掛けに用いられる外掛けフック61と、立体収納袋の内部に位置して吊り掛けに用いられる内掛けフック62を備える。再び図８に示すように、前記吊り掛けユニット6の最適実施例には排気バルブ63及び排気バルブ63に締め付けられる外蓋64を含む。排気バルブ63の底端には内掛けフック62が設置され、排気バルブ63は一枚の正面プラスチックシート1aの一側辺個所13aに結合され、それによって内掛けフック62は立体収納袋の内部に位置する。外蓋64には外掛けフック61が設置され、外蓋64が排気バルブ63に締め付けられてあることを通じて、外掛けフック61は立体収納袋の外側に位置する。図９及び図10に示すように、これにより、本考案は消費者に衣類を本考案の立体収納袋内に置き入れ、並びに吊り掛けユニット6の内掛けフック62に吊り掛けることを提供し、更に吸塵器または其の他吸気設備の吸気管70を用いて吊り掛けユニット6の排気バルブ63取り付け、それから吸塵器または其の他吸気設備を起動して吸気を行えば、本考案の袋内の余った空気を排出することができ、かつ吸気が終わると外蓋64を排気バルブ63に締め付け、外界の空気が袋内に進入しないようにし、このように同じく収納の体積を縮小することができ、尚且つ残留空気が品物に対する影響を排除することができる。
【００１５】
また、図11に示すように、本考案は更に後面プラスチックシート3と二枚の正面プラスチックシート1a、1bの第三圧着段133a、133bを熱溶融によって圧着し、二枚の正面プラスチックシート1a、1bの第三圧着段133a、133bを同時に熱溶融熱圧着すれば、同じく本考案の立体収納袋を構成することができ。
【００１６】
以上をまとめると、本考案の三次元立体収納空間を具える立体収納袋は確かに実用性と創作性を備え、その技術手段の運用も斬新であることに疑いがなく、かつ効能は設計目的と完全に符合し、それが合理的な進歩であることは至って明らかである。
【符号の説明】
【００１７】
1a、1b      正面プラスチックシート
11a、11b    前辺
12a、12b    後辺
13a、13b    側辺
131a、131b  第一圧着段
132a、132b  第二圧着段
133a、133b  第三圧着段
14          開口
2           前面プラスチックシート
21          縁
3           後面プラスチックシート
31          縁
4           シールチャック
41          雄シールチャック
42          雌シールチャック
5           排気バルブ
51          バルブ本体
511         通気孔
52          バルブシート
53          外蓋
531         排気孔
6           吊り掛けユニット
61          外掛けフック
62          内掛けフック
63          排気バルブ
64          外蓋
70          吸気管
【図１】
0003170019.tif 000003
【図２】
0003170019.tif 000004
【図３】
0003170019.tif 000005
【図４】
0003170019.tif 000006
【図５】
0003170019.tif 000007
【図６】
0003170019.tif 000008
【図７】
0003170019.tif 000009
【図８】
0003170019.tif 000010
【図９】
0003170019.tif 000011
【図１０】
0003170019.tif 000012
【図１１】
0003170019.tif 000013